(57)【要約】【課題】長期間にわたってガスの再補充を行う必要がなく完全シールを維持することができ、高圧状態が維持され続けても口金部で大気側に向かう圧力によって蓋体が押し出されることのない高圧容器のシール構造を提供する。【解決手段】金属製の筒体２に、蓋体３を挿入してシールするシール構造であって、筒体の軸方向に沿ってテーパー雌ネジ２ｃと平行雌ネジ２ｂとが刻設され、蓋体３の外周面にはテーパー雌ネジ２ｃに螺合してメタルタッチシールを形成するテーパー雄ネジ３ｅが刻設され、蓋体３とは別に、筒体２の平行雌ネジ２ｂに螺合して蓋体３よりも大きな軸力を筒体２との間に生じさせる平行雄ネジ４ｂが刻設された軸力付与部材４を設ける。【選択図】図１
2018179151.tif 000002
【特許請求の範囲】
【請求項１】
容器本体の口金部を形成する金属製の筒体に、蓋体を挿入して前記筒体をシールする高圧容器のシール構造であって、
前記筒体の内周面には、筒体の軸方向に沿ってテーパー雌ネジと平行雌ネジとが刻設され、
前記蓋体の外周面には前記筒体のテーパー雌ネジに螺合してメタルタッチシールを形成するテーパー雄ネジが刻設され、
前記蓋体とは別に、前記筒体の平行雌ネジに螺合して軸力を前記筒体との間に生じさせる平行雄ネジが刻設された軸力付与部材を設けたことを特徴とする高圧容器のシール構造。
【請求項２】
前記筒体の内周面には、筒体開口側に前記平行雌ネジが刻設され、その奥側に当該平行雌ネジより小径の前記テーパー雌ネジが刻設され、
前記筒体のテーパー雌ネジに前記蓋体のテーパー雄ネジを螺合させた状態で、前記筒体の平行雌ネジに前記軸力付与部材の平行雄ネジを螺合していくことにより、前記蓋体に対し前記軸力付与部材を圧接する請求項１に記載の高圧容器のシール構造。
【請求項３】
前記蓋体を圧接する前記軸力部材が前記筒体との間に生じさせる軸力は、前記蓋体が前記筒体との間に生じさせる軸力よりも大きくなるように構成される請求項２に記載の高圧容器のシール構造。
【請求項４】
前記蓋体は前記テーパー雌ネジより前方側に、環状の弾性部材によるエラストマシール部が形成される請求項１〜請求項３のいずれか１項に記載の高圧容器のシール構造。
【発明の詳細な説明】
【技術分野】
【０００１】
本発明は高圧容器のシール構造に関し、特に、ガス充填後は長期間にわたってガスの再充填を行わずに高圧状態のまま維持され続ける高圧容器に好適なシール構造に関する。
【背景技術】
【０００２】
高圧ガスや液化ガス等を充填する高圧容器はさまざまな分野で使用されている。近年では充填圧力を高めてガス充填量を増やすことが求められており、そのためにガス漏れが生じにくく高圧充填に耐えうる構造の高圧容器が必要になっている。
【０００３】
一般に、高圧容器にはガス充填、ガス放出を行う弁機構を取り付ける口金部が設けられている。また、容器の種類によっては、弁機構とは別に封止プラグを取り付ける第二の口金部を設けた高圧容器も用いられている。例えば図３に示すように、円筒状の胴部２０の両端に椀部２１、２２が形成され、片側の椀部２１に弁機構２３を取り付ける口金部２４が形成され、他方側の椀部２２に封止プラグ２５を取り付ける第二の口金部２６が形成され、胴部２０から両側の口金部２４、２６の根元まで耐圧性を高めるための補強繊維層（図示せず）が巻回された複合容器と称される高圧容器Ｃも用いられている。
【０００４】
これらの高圧容器では、弁機構や封止プラグ（以下、弁機構や封止プラグを「蓋体」と称する）を口金部に固定するためのシール構造として、ガス漏れが生じにくく、また、容器内の高圧ガスによって、口金部に取り付ける蓋体が大気側に向かう圧力によって押し出されないように十分な軸力を備えたシール構造が求められている。
【０００５】
高圧容器のシール構造には、ゴムパッキン等の弾性部材によるエラストマシールが採用されているものが多い。これは、ガス充填された高圧状態とガス放出された低圧状態との圧力サイクルが繰り返されるような使用用途にはエラストマシールが適しているためである。しかしながら充填圧力が高圧になり、エラストマシールに大きな変形を与えるような用途では、圧力サイクルが何度も繰り返されるとシール性が不十分になることがある。
【０００６】
そこで、高圧容器のシール構造として、メタルタッチシールを備えた高圧側１次シールゾーンと、エラストマシールを備えた大気側２次シールゾーンとを有する円筒固定フランジ構造を備えた高圧容器が開示されている（特許文献１参照）。
この文献に記載のシール構造では、高圧側１次シールゾーンのメタルタッチシールに、フランジ端面シール、テーパーフランジ端面シール、円筒フランジ固定締め付け用ネジ、メタルガスケットシール等から１種または２種以上の組み合わせ構造が採用され、これにより気密性とエラストマシールの高圧ストレスに対する耐久性を向上させることが記載されている。円筒フランジ固定締め付け用ネジには、容器内から大気側へ向かう圧力によって押し出されないようにするため十分な軸力が得られる平行ネジが採用されている。
【先行技術文献】
【特許文献】
【０００７】
【特許文献１】特開２００８−８９１３８号公報
【発明の概要】
【発明が解決しようとする課題】
【０００８】
消火用ガスの充填を行う消火設備用の高圧容器では、消火剤として二酸化炭素、ハロンガス等の不活性ガスが３０ＭＰａ以上に加圧されて充填される。充填圧力が高いほど消火剤の充填量を増やすことができるので、昨今では充填圧力は６０ＭＰａ以上、好ましくは７０ＭＰａ以上の圧力にすることが求められている。そしてガス充填された高圧容器は、火災が発生するまで消火設備内に収納される。したがって火災が発生しなければいつまでも使用されることなく高圧状態で保持され続ける。
このような用途では、圧力サイクルによる影響はあまり考慮する必要はなく、その一方で、容器内に充填した消火剤を、例えば１５年以上の長期間にわたって再充填でガス補充を行うことなく高圧のままで維持できる高圧容器であることが望まれている。
【０００９】
そのため、高圧容器の口金部の蓋体（弁機構や封止プラグ）のシール構造についても、１５年以上の長期間にわたって確実にガス漏れしない完全シール性を実現でき、しかも高圧ガスにより生じる大気側に向かう圧力に対し蓋体が十分に耐えうる軸力を有するシール構造にすることが求められている。
【００１０】
そこで本発明は、高圧ガスあるいは液化ガスを一旦充填した後は、長期間にわたってガスの再補充を行う必要がなく完全シールを維持することができ、長期間にわたり高圧状態が維持され続けても口金部で大気側に向かう圧力によって蓋体（弁機構や封止栓）が押し出されることがない高圧容器のシール構造を提供することを目的とする。
【課題を解決するための手段】
【００１１】
上記目的を達成するためになされた本発明の高圧容器のシール構造は、容器本体の口金部を形成する金属製の筒体に、蓋体を挿入して前記筒体をシールする高圧容器のシール構造であって、前記筒体の内周面には、筒体の軸方向に沿ってテーパー雌ネジと平行雌ネジとが刻設され、前記蓋体の外周面には、前記筒体のテーパー雌ネジに螺合してメタルタッチシールを形成するテーパー雄ネジが刻設され、前記蓋体とは別に、前記筒体の平行雌ネジに螺合して軸力を前記筒体との間に生じさせる平行雄ネジが刻設された軸力付与部材を設けるようにしている。
【００１２】
本発明によれば、筒体のテーパー雌ネジと蓋体のテーパー雄ネジとのテーパーネジによるメタルタッチシールを行う。これにより、テーパーネジのネジ溝がシール面となり、フランジ端面シールやテーパーフランジ端面シールのような平坦面からなるシール面に比べて接触面積を大きくすることができ、シール性が高められる。また、テーパーネジの先細り形状による先端側のネジ溝では密着性が増し、平行ネジでのネジ溝では得られない密着性による高いシール性を得ることもできる。
その一方で、蓋体が容器内の高圧ガスによる圧力を受けると、テーパーネジの先細り部分は径に応じてせん断力が小さくなるので、テーパーネジ単独で高圧ガスの圧力に耐える軸力を持たせるには軸長を長くする必要がある。本発明では、筒体にテーパー雌ネジとは別に平行雌ネジを形成し、シール性は必要ないが軸力を筒体との間に生じさせる平行雄ネジが刻設された軸力付与部材を蓋体とは別に螺合させ、これにより高圧ガスの圧力に耐える軸力を確保するようにしている。
【発明の効果】
【００１３】
本発明によれば、口金部の筒体に対し、テーパーネジによるメタルタッチシールで蓋体をシールして完全シールを行うとともに、軸力が大きい平行ネジを設けた軸力付与部材を蓋体に直列に取り付けるようにして高圧に耐える軸力を確保するようにしたので、長期間にわたりガスの再充填を行うことなく高圧状態のまま保持することができる。
【００１４】
上記発明において、前記筒体の内周面には、筒体開口側に前記平行雌ネジが刻設され、その奥側に当該平行雌ネジより小径の前記テーパー雌ネジが刻設され、前記筒体のテーパー雌ネジに前記蓋体のテーパー雄ネジを螺合させた状態で、前記筒体の平行雌ネジに前記軸力付与部材の平行雄ネジを螺合していくことにより、前記蓋体に対し前記軸力付与部材を圧接するようにしてもよい。
これにより、軸力付与部材が蓋体を開口側から奥側に圧接することで、蓋体と筒体とのメタルタッチシールのシール面を軸方向に押圧することができるようになり、シール面がさらに密着することにより強いシール構造にすることができる。
このとき、蓋体を圧接する軸力部材が筒体との間に生じさせる軸力は、蓋体が筒体との間に生じさせる軸力よりも大きくなるように構成してもよい。
ネジ径を大きくすることで軸力を大きくすることができ、また、ネジの軸長を長くすることでも軸力を大きくすることができる。よって高圧ガスの圧力に耐えるための蓋体と軸力付与部材との軸力の分担比を、軸力付与部材のネジ径、締め付けトルク、および、軸長の調整により軸力付与部材の方が大きくなるようにすることができる。
また、上記発明において、前記蓋体は前記テーパー雌ネジより前方側に、環状の弾性部材によるエラストマシール部が形成されるようにしてもよい。
テーパーネジによるメタルタッチシールとともに、補助的にエラストマシールを併用することでさらにシール性を高めることができる。
【図面の簡単な説明】
【００１５】
【図１】本発明の実施形態に係る高圧容器のシール構造を示す断面図。
【図２】本発明の他の実施形態に係る高圧容器のシール構造を示す断面図。
【図３】本発明のシール構造が採用される高圧容器の一例を示す図。
【発明を実施するための形態】
【００１６】
以下、本発明の実施形態について図面を用いて説明する。
図１は、本発明の一実施形態である高圧容器のシール構造１Ａを示す概略断面図である。このシール構造は図３で説明した高圧容器Ｃにおいて、口金部２４、２６に取り付けられる弁機構２３、封止プラグ２５のシール構造として採用されるものであり、必要に応じて図３についても参照することとする。
【００１７】
図１に示すように、シール構造１Ａは、筒体２と、蓋体３と、軸力付与部材４とからなる。
筒体２は、アルミ、鉄等の金属製の高圧容器Ｃ（図３参照）の容器本体の一部分であり、口金部２４、２６に相当する部分である。筒体２の内周面には開口端２ａから平行雌ネジ２ｂが刻設してあり、その奥側にテーパー雌ネジ２ｃが刻設してある。平行雌ネジ２ｂはテーパー雌ネジ２ｃより大径となるように加工してある。
【００１８】
蓋体３は弁機構２３または封止プラグ２５に相当する部分であり、筒体２と同様に金属で製造され、中心線に沿って貫通孔３ａが形成してある。なお、封止プラグ２５については、貫通孔３ａは閉塞栓（図示せず）で閉じてある。
蓋体３の軸線方向の前方側は大径部３ｂ、後方側は小径部３ｃとなるようにして、これらの間に段差面３ｄが設けてある。大径部３ｂの外周面にはテーパー雄ネジ３ｅが刻設してあり、筒体２のテーパー雌ネジ２ｃと螺合するようにしてある。筒体２のテーパー雌ネジ２ｃと蓋体３のテーパー雄ネジ３ｅとが螺合することで先細りのテーパーネジによるメタルタッチシールが形成されている。小径部３ｃでは後述する円環状の軸力付与部材４が外嵌される。
【００１９】
軸力付与部材４は、蓋体３とともに弁機構２３または封止プラグ２５に相当する部分であり、蓋体３と同様に金属で製造され、円環状に加工してある。軸力付与部材の４の内孔４ａには蓋体３の小径部３ｃが挿入され、軸力付与部材４の外周面には平行雄ネジ４ｂが刻設してあり、筒体２の平行雌ネジ２ｂと螺合するようにしてある。そして、軸力付与部材４をねじ込んでいくと、やがて前方側の円環面４ｃが蓋体３の段差面３ｄに当接し、この面を圧接することができるようにしてある。なお軸力付与部材４の開口側の円環面４ｄには凹孔（図示せず）が形成してあり、ねじ込み用冶具を凹孔に固定してねじ込むことができるようにしてある。
【００２０】
次にシール構造１Ａの取付動作について説明する。まず、蓋体３を筒体２に挿入し、テーパー雄ネジ３ｅをテーパー雌ネジ２ｃに対し最後までねじ込む。これによりテーパーネジによるメタルタッチシールが形成される。
続いて、軸力付与部材４を蓋体３の小径部３ｃに挿入し、平行雄ネジ４ｂを平行雌ネジ２ｂに対してねじ込み、円環面４ｃが段差面３ｄに当接し、圧接状態になるまで強くねじ込む。
このとき、蓋体３のテーパー雄ネジ３ｅは押圧され、特に先細りの先端部分近傍でテーパー雌ネジ２ｃと強く密着するようになり、強固なシール構造が完成して漏れの生じない完全シールが実現できる。
【００２１】
その後、高圧容器Ｃ内に高圧ガスを充填すると、筒体２内において、高圧ガスによる圧力によって、蓋体３の先端面３ｆが大気側に向けて押圧される。これに対し、蓋体３のテーパーネジよりも大径に形成された軸力付与部材４の平行ネジにより、大気側への押圧力に平行ネジの強い軸力で抗することができるので、ガス充填圧を高くしても十分に耐える構造にすることができる。
【００２２】
図２は、本発明の他の一実施形態である高圧容器のシール構造１Ｂを示す概略断面図である。図１と同じ構成部分については同符号を付すことにより、説明の一部を省略する。
この実施形態では、蓋体３のメタルタッチシールが行われるテーパー雄ネジ３ｅよりも先端側に円周溝３ｇを形成し、これにゴムパッキン５を取り付けてエラストマシールを形成する。これにより、メタルタッチシールとエラストマシールとを併用することができ、さらにシール性を向上させることができる。
【００２３】
以上、本発明の実施形態について説明したが、本発明は必ずしもこれらの実施形態に限定されるものではなく、本発明の趣旨を逸脱しない範囲で種々の態様が含まれることはいうまでもない。
例えば、テーパーネジおよび平行ネジの雄ネジの表面にシール用テープまたは特殊液を含浸したシール用テープを巻きつけてねじ込むようにしてもよい。
【産業上の利用可能性】
【００２４】
本発明の高圧容器のシール構造は、消火用の高圧容器に好適に利用することができる。
【符号の説明】
【００２５】
１Ａ、１Ｂ  シール構造
２  筒体（口金部２４、２６）
２ｂ  平行雌ネジ
２ｃ  テーパー雌ネジ
３  蓋体（弁機構２３、封止プラグ２５）
３ａ  貫通孔
３ｂ  大径部
３ｃ  小径部
３ｄ  段差面
３ｅ  テーパー雄ネジ
３ｆ  先端面
３ｇ  円周溝
４  軸力付与部材
４ａ  内孔
４ｂ  平行雄ネジ
４ｃ、４ｄ  円環面
５  ゴムパッキン
【図１】
2018179151.tif 000003
【図２】
2018179151.tif 000004
【図３】
2018179151.tif 000005